(57)【特許請求の範囲】
【請求項１】
内部を吸気路８０が貫通し、該吸気路が絞り弁８２にて開閉制御されるとともに絞り弁８２より上流側の吸気路８０Ｂにミキサーベンチュリー部８３が形成され、ミキサーベンチュリー部８３にメーンポート８４が開口するとともに絞り弁８２より下流側の吸気路８０Ａにアイドルポート８６が開口し、更に絞り弁８２より下流側の吸気路８０Ａに向けてショットエア通路１を設けるとともに該ショットエア通路に、機関の始動操作時において該通路を開放する空気制御弁２を設けたミキシングボデーＭと、ガス燃料源Ｔ１、Ｔ２内のガス燃料を１次減圧室５２にて所定の１次圧に減圧するとともに２次減圧室６６にて略大気圧状態の２次圧に減圧するベーパライザＶとを備え、前記１次圧状態にあるガス燃料をアイドルポート８６より吸気路８０Ａ内に向けて供給するとともに２次圧状態にあるガス燃料をメーンポート８４よりミキサーベンチュリー部８３へ供給し、更に、機関の始動操作時に、空気制御弁２を開放することにより、ショットエア通路１を介して絞り弁８２より下流側の吸気路８０Ａ内に始動用空気を供給したことを特徴とする内燃機関用燃料噴射装置。
【請求項２】
内部を吸気路１０が貫通し、吸気路１０に設けられるミキサーベンチュリー部１１にメーンポート１３が開口するミキシングボデーＭと、ミキシングボデーＭの下流側に配置され、内部を吸気路２１が貫通し、該吸気路が絞り弁２３にて開閉制御されるとともに浮子室２６内に貯溜されるガソリン燃料が、絞り弁２３より上流側の吸気路に形成されるキャブベンチュリー部２４に開口する主ノズル３１と、絞り弁２３に臨んで吸気路２１に開口する低速噴孔３２とを介して吸出され、又、絞り弁２３より下流側の吸気路２１Ａにアイドルポート３３が開口し、更に絞り弁２３より下流側の吸気路２１Ａに向けてショットエア通路３４を設けるとともに該ショットエア通路に機関の始動操作時において該通路を開放する空気制御弁２を備える気化器Ｃと、ガス燃料源Ｔ１、Ｔ２内のガス燃料を、１次減圧室５２にて所定の１次圧に減圧するとともに２次減圧室６６にて略大気圧状態の２次圧に減圧するベーパライザＶとを備え、ガス燃料の使用時において、気化器Ｃへのガソリン燃料の供給を停止し、前記１次圧状態にあるガス燃料を気化器Ｃのアイドルポート３３より吸気路２１Ａ内に向けて供給するとともに２次圧状態にあるガス燃料をメーンポート１３よりミキサーベンチュリー部１１へ供給し、更に、機関の始動操作時に、空気制御弁２を開放することにより、ショットエア通路３４を介して絞り弁２３より下流側の吸気路２１Ａに始動用空気を供給し、一方、ガソリン燃料の使用時において、ベーパライザＶへのガス燃料の供給を停止し、浮子室２６内に貯溜されるガソリン燃料を、主ノズル３１を介してキャブベンチュリー部２４へ吸出するとともに低速噴孔３２を介して吸気路２１Ａ内へ吸出し、更に、機関の始動操作時に、空気制御弁２を開放することにより、ショットエア通路３４を介して絞り弁２３より下流側の吸気路２１Ａに始動用空気を供給したことを特徴とする内燃機関用燃料供給装置。
【請求項３】
前記空気制御弁は通電開型の電磁弁であり、電磁弁Ｓの電気回路にスタータスイッチ６を直列に接続配置したことを特徴とする請求項１又は請求項２記載の内燃機関用燃料供給装置。
【請求項４】
前記電磁弁の電気回路に、一定温度以上で電気回路を閉じ、それ以下の温度で開く、温度感知スイッチ７を直列に接続配置したことを特徴とする請求項３記載の内燃機関用燃料供給装置。
【発明の詳細な説明】
【０００１】
【産業上の利用分野】
本発明は、内燃機関に向けて燃料を供給する燃料供給装置に関し、そのうち液化石油ガス等のガス燃料を使用する燃料供給装置及びガス燃料とガソリン燃料とを択一的に選択して使用することのできる燃料供給装置に関する。
【０００２】
【従来の技術】
従来のガス燃料を使用する燃料供給装置は図３に示される。ベーパライザＶは以下よりなる。５０は筐体Ｂを１次調圧室５１と１次減圧室５２とに区分する１次ダイヤフラムであり、１次ダイヤフラム５０は１次調圧室５１内に縮設して配置される１次スプリング５３のバネ力によって１次減圧室５２側へ押圧される。５４は１次減圧室５２内において回転自在に支承される第１支持杆５５の一端に配置される１次弁であり、この１次弁５４は１次減圧室５２に開口する燃料流入路５６を開閉制御する。又前記第１支持杆５５の他端は前記１次ダイヤフラム５０に係止される。５７は１次減圧室５２から外部に向かって開口する１次燃料吐出路であり、該１次燃料吐出路は、スローロック弁５８によって開閉される。５９は前記スローロック弁５８に対して開閉操作力を付与するスローロックダイヤフラムであり、スローロックダイヤフラム５９によって画成されるスローロック室６０内にはスローロックダイヤフラム５９を図３において右方へ押圧するスローロックスプリング６１が縮設されるとともに後述するミキシングボデーの吸気路に連なる負圧導入路６２が開口する。（尚、スローロック弁５８とスローロックダイヤフラム５９とは連結杆によって連結される）６３は１次燃料吐出路５７を流れるガス燃料量を調整、制御する１次調整スクリューであり、先端にテーパー針弁部が形成される。筐体Ｂは更に２次ダイヤフラム６４によって２次調圧室６５と２次減圧室６６とに区分され、２次減圧室６６には１次減圧室５２に連なる２次燃料流入路６７と外部に向かう２次燃料吐出路６８とが開口する。６９は２次減圧室６６内に回転自在に支承配置される第２支持杆であり、この第２支持杆６９の一端に２次燃料流入路６７を開閉する２次弁７０が配置されるとともにその他端は２次ダイヤフラム６４に係止される。又、前記第２支持杆は２次スプリング７１のバネ力によって反時計方向へ付勢されるもので、これによって２次弁７０は２次燃料流入路６７を閉塞する側へ押圧される。
【０００３】
ベーパライザＶからの燃料の供給を受けるミキシングボデーＭは、以下よりなる。ミキシングボデーＭは内部を吸気路８０が貫通して穿設され、この吸気路８０は、ミキシングボデーＭに回転自在に支承される絞り弁軸８１に取着されたバタフライ型の絞り弁８２によって開閉される。又、絞り弁８２より上流側（図３において右側）の吸気路８０Ｂにはミキサーベンチュリー部８３が設けられるもので、このミキサーベンチュリー部８３には複数のメーンポート８４が開口する。８５は複数のメーンポート８４に向けて燃料を供給する為のメーン燃料導入路であり、具体的には環状溝８５Ａを介してメーンポート８４に燃料が供給される。又、８６は絞り弁８２より下流側（図３において左側）の吸気路８０Ａに開口して設けたアイドルポートであり、８７はアイドルポート８６に向けて燃料を供給する為のスロー燃料導入路である。
【０００４】
そして、前記ミキシングボデーＭの下流側（図３において左側）は吸気管等を介して機関Ｅに接続され、上流側はエアクリーナＡへ接続される。一方、ベーパライザＶの燃料流入路５６には、ガス燃料としての液化石油ガス（ＬＰＧ）が供給される。液化石油ガス（以下ＬＰＧという）を使用する際、ガス燃料源Ｔ１内の約５ｋｇ／ｃｍ2 の圧力を有するＬＰＧは、直接的に燃料導入路５６に供給される。一方ＬＰＧに代えて圧縮天然ガス（以下ＣＮＧという）を使用することができるもので、このときガス燃料源Ｔ２内の約２００ｋｇ／ｃｍ2 の圧力を有するＣＮＧは、１次レギュレターＲによって約６ｋｇ／ｃｍ2 の圧力に減圧され、この減圧されたＣＮＧが燃料流入路５６へ供給される。又、ベーパライザＶの２次燃料吐出路６８はミキシングボデーＭのメーン燃料導入路８５と接続され、１次燃料吐出路５７はスロー燃料導入路８７と接続される。
【０００５】
そして機関の始動時及び絞り弁８２の低開度運転時において、１次弁５４は、ガス燃料自身が有する燃料圧力（ＬＰＧにあっては約５ｋｇ／ｃｍ2 の燃料圧力、ＣＮＧにあっては１次レギュレターＲによって減圧された約６ｋｇ／ｃｍ2 の燃料圧力）によって燃料流入路５６を開放し、前記ガス燃料が１次減圧室５２内へ供給される。そして１次減圧室５２内の圧力が所定の圧力（例えば０．３ｋｇ／ｃｍ2 ）を超えて上昇すると、１次ダイヤフラム５０が１次スプリング５３のバネ力に抗して１次調圧室５１側へ移動し、これによって第１支持杆５５が反時計方向へ回転して１次弁５４が燃料流入路５６を閉塞し、もって１次減圧室５２内のガス燃料圧力を０．３ｋｇ／ｃｍ2 に調圧できる。一方、一次減圧室５２内のガス燃料圧力が０．３ｋｇ／ｃｍ2 以下の圧力に低下すると、１次スプリング５３は１次ダイヤフラム５０を１次減圧室５２側へ押圧して移動させ、これによって第１支持杆５５は時計方向に回転して１次弁５４は燃料流入路５６を開放する。従って燃料流入路５６より高圧力状態のガス燃料が１次減圧室５２内へ供給され、これによって１次減圧室５２内のガス燃料圧力を再び所定の０．３ｋｇ／ｃｍ2 に復帰させることができる。以後、上記１次弁の動作がくり返し行なわれることによって、１次減圧室５２内には、１次圧としての所定の０．３ｋｇ／ｃｍ2 の圧力を有するガス燃料が維持されるものである。そして、この１次圧を有するガス燃料は、１次調整スクリュー６３によってその量が制御され、このガス燃料が１次燃料吐出路５７、スロー燃料導入路８７を介してアイドルポート８６へ供給され、更にアイドルポート８６から絞り弁８２より下流側の吸気路８０Ａへと供給され、これによって機関の始動時及び絞り弁８２の低開度運転が行なわれる。尚、絞り弁８２の中、高開度運転時においてもアイドルポート８６からは継続的にガス燃料は供給される。
【０００６】
一方、２次減圧室６６にあっては、ガス燃料は大気圧まで減圧される。前述の如く、１次減圧室５２内のガス燃料圧力は０．３ｋｇ／ｃｍ2 に調圧されるもので、この０．３ｋｇ／ｃｍ2 の圧力を有するガス燃料は２次燃料流入路６７を介して２次弁７０に作用し、２次弁７０は２次燃料流入路６７を開放し、２次減圧室６６内にガス燃料が供給される。ここで、２次減圧室６６内のガス燃料圧力が大気圧以上に上昇すると、２次ダイヤフラム６４は２次調圧室６５側へ変位し、これによると第２支持杆６９は、２次スプリング７１のバネ力によって反時計方向へ回転して２次弁７０は２次燃料流入路６７を閉塞し、これによって２次減圧室６６内のガス燃料圧力を大気圧に復帰させる。又、２次減圧室６６内のガス燃料圧力が大気圧以下に低下すると、２次ダイヤフラム６４は２次スプリング７１のバネ力に抗して２次減圧室６６側へ変位し、これによると、第２支持杆６９は時計方向へ回転して２次弁７０は２次燃料流入路６７を開放し、これによって２次減圧室６６内のガス燃料圧力を大気圧に復帰させる。以後上記２次弁７０が前記動作をくり返し行なうことによって２次減圧室６６内のガス燃料圧力を２次圧としての大気圧に維持できる。
【０００７】
そして、絞り弁８２の中間開度及び高開度運転は以下によって行なわれる。すなわち、絞り弁８２が吸気路８０を中開度及び高開度に開放することによると、ミキサーベンチュリー部８３には絞り弁開度に応じた高い負圧が生起するもので、この負圧はメーンポート８４、環状溝８５Ａ、メーン燃料導入路８５、２次燃料吐出路６８を介して２次減圧室６６に作用し、２次減圧室６６内に維持される大気圧状態にあるガス燃料がメーンポート８４を介してミキサーベンチュリー部８３に吸出され、これによって絞り弁８２の中及び高開度運転が行なわれる。
【０００８】
【発明が解決しようとする課題】
かかる従来の燃料供給装置によると、機関を停止した後に再び機関を始動する機関の再始動時において、良好な機関の始動を行なうことが困難である。すなわち、運転状態から機関が停止されると、運転時において吸気路内へ供給されるガス燃料の一部が、吸気路あるいはインテークマニホールド内に残留するもので、かかる状態において機関が再び始動されてアイドルポート８６から１次圧（０．３ｋｇ／ｃｍ2 ）状態のガス燃料が吸気路内へ供給されると、機関に向かう混合気濃度が濃化傾向を示し、これによって良好な機関の始動を得にくい。一方、前記不具合を解決する為に、始動操作に際し、予め絞り弁をわずかに開放し、混合気濃度を薄めることが考えられるが、絞り弁の開放度合は運転者の感に頼ることに成り、一定絞り弁開度を得ることが困難で好ましいものでない。絞り弁の開放度合の決定にはかなりの熟練を要する。
【０００９】
本発明は前記不具合に鑑み成されたもので、特に運転者の感に頼ることがなく、安定した機関の再始動を行なうことのできる内燃機関用燃料供給装置を提供することを目的とする。
【００１０】
【課題を達成する為の手段】
本発明になる内燃機関用燃料供給装置は、前記目的を達成する為に、内部を吸気路が貫通し、該吸気路が絞り弁にて開閉制御されるとともに絞り弁より上流側の吸気路にミキサーベンチュリー部が形成され、ミキサーベンチュリー部にメーンポートが開口するとともに絞り弁より下流側の吸気路にアイドルポートが開口し、更に絞り弁より下流側の吸気路に向けてショットエア通路を設けるとともに該ショットエア通路に、機関の始動操作時において該通路を開放する空気制御弁を設けたミキシングボデーと、ガス燃料源内のガス燃料を１次減圧室にて所定の１次圧に減圧するとともに２次減圧室にて略大気圧状態の２次圧に減圧するベーパライザとを備え、前記１次圧状態にあるガス燃料をアイドルポートより吸気路内に向けて供給するとともに２次圧状態にあるガス燃料をメーンポートよりミキサーベンチュリー部へ供給し、更に、機関の始動操作時に、空気制御弁を開放することにより、ショットエア通路を介して絞り弁より下流側の吸気路内に始動用空気を供給したことを第１の特徴とする。
【００１１】
又、本発明になる内燃機関用燃料供給装置は、内部を吸気路が貫通し、吸気路に設けられるミキサーベンチュリー部にメーンポートが開口するミキシングボデーと、ミキシングボデーの下流側に配置され、内部を吸気路が貫通し、該吸気路が絞り弁にて開閉制御されるとともに浮子室内に貯溜されるガソリン燃料が、絞り弁より上流側の吸気路に形成されるキャブベンチュリー部に開口する主ノズルと、絞り弁に臨んで吸気路に開口する低速噴孔とを介して吸出され、又、絞り弁より下流側の吸気路にアイドルポートが開口し、更に絞り弁より下流側の吸気路に向けてショットエア通路を設けるとともに該ショットエア通路に機関の始動操作時において該通路を開放する空気制御弁を備える気化器と、ガス燃料源内のガス燃料を、１次減圧室にて所定の１次圧に減圧するとともに２次減圧室にて略大気圧状態の２次圧に減圧するベーパライザとを備え、ガス燃料の使用時において、気化器へのガソリン燃料の供給を停止し、前記１次圧状態にあるガス燃料を気化器のアイドルポートより吸気路内に向けて供給するとともに２次圧状態にあるガス燃料をメーンポートよりミキサーベンチュリー部へ供給し、更に、機関の始動操作時に、空気制御弁を開放することにより、ショットエア通路を介して絞り弁より下流側の吸気路に始動用空気を供給し、一方、ガソリン燃料の使用時において、ベーパライザへのガス燃料の供給を停止し、浮子室内に貯溜されるガソリン燃料を、主ノズルを介してキャブベンチュリー部へ吸出するとともに低速噴孔を介して吸気路内へ吸出し、更に、機関の始動操作時に、空気制御弁を開放することにより、ショットエア通路を介して絞り弁より下流側の吸気路に始動用空気を供給したことを第２の特徴とする。
【００１２】
更に本発明は、前記第１及び第２の特徴に加え、空気制御弁を通電開型の電磁弁とし、電磁弁の電気回路にスタータスイッチを直列に接続配置したことを第３の特徴とする。
【００１３】
更に又、本発明は、電磁弁の電気回路に、一定温度以上で電気回路を閉じ、それ以下の温度で開く、温度感知スイッチを直列に接続配置したことを第４の特徴とする。
【００１４】
【作用】
本発明の第１の特徴によると、機関の始動操作時において、空気制御弁がショットエア通路を開放し、これによってショットエア通路より絞り弁の下流側の吸気路内に向けて一定なる始動用空気が供給される。インテークマニホールド内に滞溜するガス燃料はショットエア通路より供給される始動用空気によって薄められ、始動混合気の濃化傾向が抑止され、機関の良好な再始動性を得られる。
【００１５】
本発明の第２の特徴によると、ガス燃料の使用時において、気化器へのガソリン燃料の供給が停止される。機関の始動操作時において、空気制御弁がショットエア通路を開放し、これによってショットエア通路より気化器の絞り弁の下流側の吸気路内に向けて始動用空気が供給される。インテークマニホールド内に滞溜するガス燃料はショットエア通路より供給される始動用空気によって薄められ、始動混合気の濃化傾向が抑止され、機関の良好な再始動性を得られる。又、ガソリン燃料の使用時において、ベーパライザへのガス燃料の供給は停止される。機関の始動操作時において、空気制御弁がショットエア通路を開放し、これによってショットエア通路より気化器の絞り弁の下流側の吸気路内に向けて始動用空気が供給される。インテークマニホールド内に滞溜するガソリン燃料はショットエア通路より供給される始動用空気によって薄められ、始動混合気の濃化傾向が抑止され、機関の良好な再始動性を得られる。
【００１６】
本発明の第３の特徴によると、機関の始動操作時においてスタータスイッチが閉じられると、電磁弁はこれと連動してショットエア通路を開放し、ショットエア通路から絞り弁より下流側の吸気路に向けて始動用空気が供給され、これによって始動操作時において自動的に始動混合気の濃化傾向が抑止される。
【００１７】
本発明の第４の特徴によると、機関の始動操作時においてスタータスイッチが閉じられ、又機関雰囲気温度が一定温度以上の温度状態において温度感知スイッチが閉じられ、電磁弁は自動的にショットエア通路を開放し、ショットエア通路から絞り弁より下流側の吸気路に向けて始動用空気が供給される。従って、機関の雰囲気温度が一定温度以上の状態で且つ機関の始動操作時において、自動的に始動混合気の濃化傾向が抑止される。
【００１８】
【実施例】
以下、本発明になる内燃機関用燃料供給装置の一実施例を図１により説明する。尚、ガス燃料源Ｔ１、Ｔ２とベーパライザＶと、ミキシングボデーＭについては図３と同一であるので同一符号を使用し、説明を省略する、１はショットエア通路でその上流は大気に連通され、下流はミキシングボデーＭの絞り弁８２より下流側の吸気路８０Ａ内に連絡される。例えばショットエア通路１の上流側はエアクリーナＡに接続され、下流は絞り弁８２より下流側の吸気路８０Ａに開口するアイドルポート８６に接続される。又、ショットエア通路１には、機関の始動操作時において、ショットエア通路１を開放する空気制御弁２が配置される。図１に示される空気制御弁２は通電開型の電磁弁Ｓであり、電磁コイル３に通電されることにより弁体としての可動コア４が固定コア５に吸引され、ショットエア通路１を開放するもので、電磁弁Ｓの電気回路にはスタータスイッチ６が図示されぬ電源と直列に接続配置される。
【００１９】
かかる内燃機関用燃料供給装置によると、絞り弁８２の低開度、中開度及び高開度運転時において、ガス燃料源Ｔ１又はＴ２内の何れか一方のガス燃料は従来と同様にアイドルポート８６及びメーンポート８４より吸気路８０内へ供給され、それらの機関運転が行なわれる。ここで機関が停止された後に再び機関を始動する機関の再始動時について述べると、機関の始動操作時において、空気制御弁２はショットエア通路１を開放保持する。図１において説明すると、機関の始動操作時に図示せぬスタータを駆動する為に、スタータスイッチ６の電気接点が閉じられると、電磁弁Ｓの電磁コイル３は通電され、弁体としての可動コア４が固定コア５に吸引されてショットエア通路１を開放する。以上によると、ショットエア通路１からアイドルポート８６を介して絞り弁８２より下流側の吸気路８０Ａ内に向けて始動用空気が自動的に供給されるもので、吸気路８０Ａ及びその下流のインテークマニホールド（図示せず）内にガス燃料が残存して滞溜していたとしても前記始動用空気によって混合気が過濃となることがなく適正に薄められ、機関の再始動を良好に行なうことができる。又、機関の始動操作が完了してスタータが停止すると、スタータスイッチ６は再び電気接点を開くので、電磁弁Ｓへの電気の供給が遮断され、ショットエア通路１は電磁弁Ｓによって再び閉塞保持され、ショットエア通路１からの始動用空気の供給が停止される。従って、機関のアイドリング運転時において、始動用空気が供給されてアイドリング回転数が上昇するという不具合が発生することがない。
【００２０】
尚、前記空気制御弁２として電磁弁を用いたものであるが、手動操作によって通路を開閉する手動開閉弁を用いてもよく、このとき運転者は始動操作時に手動開閉弁を操作してショットエア通路１を開放し、始動操作終了時に再び運転者は手動開閉弁を操作してショットエア通路１を閉塞する。そして、かかる手動開閉弁を運転者が開閉操作したとしても、開放時においてショットエア通路１からは弁孔に相当する一定の始動用空気を供給できるので、運転者の感にたよって始動用空気が変わることがない。
【００２１】
又電磁弁Ｓの電気回路にスタータスイッチ６と直列に温度感知スイッチ７を直列接続してもよい。この温度感知スイッチ７は一定温度（例えば３５℃）以上でその電気接点を閉じ、それ以下の温度で電気接点を開くものである。これによると、特に機関の雰囲気温度の高い状態において、電磁弁Ｓがショットエア通路１を開放して吸気路５０Ａに始動用空気を供給するので機関が要求する薄めの始動混合気の供給が可能である。一方、機関の雰囲気温度の低い状態において、温度感知スイッチ７は電気接点を開放するので、電磁弁Ｓはショットエア通路１を閉塞保持し、吸気路８０Ａに始動用空気を供給しないので機関が要求する比較的濃めの始動混合気の供給が可能であり、これによって機関の雰囲気温度に対応した始動混合気の供給が可能となり、再始動性をより一層向上できる。
【００２２】
図２により本発明の内燃機関用燃料供給装置の他の実施例について説明する。本実施例は、ガソリン燃料とガス燃料とを選択して使用することのできる燃料供給装置である。尚、ガス燃料源Ｔ１、Ｔ２及びベーパライザＶは図３と同一であるので同一符号を使用し、説明は省略する。Ｍはミキシングボデーで吸気路１０の上流側にミキシングベンチュリー部１１が形成され、このミキシングベンチュリー部１１には環状溝１２Ａ、メーン燃料導入路１２に連なる複数のメーンポート１３が開口して穿設される。
【００２３】
ＣはミキシングボデーＭの下流側に配置される気化器で以下よりなる。２０は内部を吸気路２１が貫通する気化器本体であり、吸気路２１は絞り弁軸２２に取着された絞り弁２３にて開閉される。絞り弁２３より上流側の吸気路にはキャブベンチュリー部２４が形成されるもので本例にあっては吸気路２１と可動ピストン２５の底部をもって形成された。２６は気化器本体２０とそれをおおう浮子室本体２７とによって形成される浮子室であり、浮子室２６内には、バルブシート２８、フロートバルブ２９、フロート３０の共同作用によって一定なるガソリン液面が形成される。又、キャブベンチュリー部２４には上流が浮子室２６内に連なる主燃料系としての主ノズル３１が開口し、絞り弁２３の上端部に臨む吸気路２１には、上流が浮子室２６内に連なる低速燃料系としての低速噴孔３２が開口する。又、絞り弁２３より下流側の吸気路２１Ａにはアイドルポート３３が開口する。更に３４は上流が大気に連なり、下流が絞り弁２３より下流側の吸気路２１Ａ内に連なるショットエア通路であり、本例においてその下流はアイドルポート３３の上流に開口させた。又、ショットエア通路３４は図１に示される空気制御弁２としての電磁弁Ｓ、電磁弁Ｓの電気回路を備える。そして、ミキシングボデーＭの上流側がエアクリーナＡに接続され、気化器Ｃの下流側が機関Ｅに接続された。又、ベーパライザＶの１次燃料吐出路２７はアイドルポート３３に接続され、２次燃料吐出路３８はメーン燃料導入路１２を介してメーンポート１３に接続された。更に、ガソリン燃料源Ｔ３は、ガソリン燃料通路３５を介してバルブシート２８と接続される。
【００２４】
かかる燃料供給装置において、第１にＣＮＧあるいはＬＰＧ何れか一方のガス燃料を使用する際、ガソリン燃料源Ｔ３から気化器Ｃへのガソリン燃料の供給は停止される。絞り弁２３の低開度運転時、ベーパライザＶの１次燃料吐出路２７より吐出される１次圧を有するガス燃料は、アイドルポート３３より気化器Ｃの絞り弁２３より下流側の吸気路２１Ａ内に供給され、これによって絞り弁２３の低開度運転が行なわれる。又、絞り弁２３の中開度、高開度運転時にあっては、ベーパライザＶの２次減圧室３６内に維持される２次圧としての大気圧状態にあるガス燃料がミキシングボデーＭのメーンポート１３を介してミキシングベンチュリー部１１に吸出され、これによって絞り弁２３の中、高開度運転が行なわれる。一方、かかる燃料供給装置において、第２にガソリン燃料を使用する際、ＣＮＧ、ＬＰＧのガス燃料はベーパライザＶへ供給されない。そして、ガソリン燃料源Ｔ３内のガソリン燃料はガソリン燃料通路３５、バルブシート２８を介して浮子室２６内へ供給され、バルブシート２８、フロートバルブ２９、フロート３０の共同作用によって浮子室２６内に一定なるガソリン液面が形成される。そして、絞り弁２３の低開度運転時にあっては、低速燃料系としての低速噴孔３２を介してガソリン燃料が吸気路２１Ａ内に供給され、絞り弁２３の中、高開度運転時にあっては主燃料系としての主ノズル３１よりキャブベンチュリー部２４内にガソリン燃料が供給される。そして、ＣＮＧ、ＬＰＧの何れか一方のガス燃料を使用した際、あるいはガソリン燃料を使用した際における機関の再始動は以下の如く行なわれる。機関の始動操作時において、空気制御弁２がショットエア通路３４を開放するもので、ショットエア通路３４からアイドルポート３３を介して始動用空気が吸気路２１Ａ内に供給される。以上によると、インテークマニホールド内にガス燃料あるいはガソリン燃料が残存したとしても混合気が過濃となることがなく、機関の再始動を容易に行なうことができる。又、前記第１の実施例と同様に、空気制御弁２として電磁弁Ｓを用い、その電気回路に前述したスタータスイッチ６を直列に接続配置すれば、スタータスイッチ６が閉じられる始動操作時においてのみ始動用空気をアイドルポート３３を介して吸気路２１Ａ内へ供給できて機関の再始動を良好に行なうことができ、一方始動操作が終了するや始動用空気の供給が停止され、機関のアイドリング運転を行なうことができる。更に、前記第１の実施例と同様に電磁弁Ｓの電気回路にスタータスイッチ６と直列に温度感知スイッチ７を直列に接続すると、機関雰囲気温度の高い状態において、始動用空気が供給されて薄めの始動混合気を供給でき、機関雰囲気温度の低い状態において始動用空気の供給が停止され、濃めの始動混合気を供給できるので機関の雰囲気温度に対応して再始動性を向上できる。
【００２５】
【発明の効果】
以上の如く、本発明になる内燃機関用燃料供給装置によると、１次圧状態にあるガス燃料をミキシングボデーのアイドルポートより吸気路内に向けて供給するとともに２次圧状態にあるガス燃料をミキシングボデーのメーンポートよりミキサーベンチュリー部へ供給し、更に、機関の始動操作時に、空気制御弁を開放することにより、ショットエア通路を介して絞り弁より下流側の吸気路内に始動用空気を供給したので、機関始動時において、吸気路を含むインテークマニホールド内にガス燃料が残存したとしても、始動混合気の濃化傾向が抑止され、ガス燃料を用いた機関の始動性を向上できた。又、空気制御弁は単にショットエア通路を開閉するのみであるので、その開閉操作が運転者によって行なわれたとしても始動空気量は常に一定に制御され、均一な始動空気を感に頼ることなく供給できる。又、ガス燃料の使用時において、気化器へのガソリン燃料の供給を停止し、１次圧状態にあるガス燃料を気化器のアイドルポートより吸気路内に向けて供給するとともに２次圧状態にあるガス燃料をミキシングボデーのメーンポートよりミキサーベンチュリー部へ供給し、更に、機関の始動操作時に、空気制御弁を開放することにより、ショットエア通路を介して気化器の絞り弁より下流側の吸気路に始動用空気を供給し、一方、ガソリン燃料の使用時において、ベーパライザへのガス燃料の供給を停止し、浮子室内に貯溜されるガソリン燃料を、主ノズルを介してキャブベンチュリー部へ吸出するとともに低速噴孔を介して吸気路内へ吸出し、更に、機関の始動操作時に、空気制御弁を開放することにより、ショットエア通路を介して気化器の絞り弁より下流側の吸気路に始動用空気を供給したので、特にガソリン燃料とガス燃料とを選択して使用することのできる燃料供給装置において、前記と同様なる機関の再始動性の向上を達成できる。更に空気制御弁を通電開型の電磁弁とし、電磁弁の電気回路にスタータスイッチを直列に接続配置したことによると、機関の始動操作時において、スタータを操作する間においてのみ自動的に始動用空気を供給でき、始動操作の終了と同期して始動用空気の供給を停止できたので、自動的に始動混合気を薄化できるとともにアイドル回転数の上昇を抑止できる。更に又、電磁弁の電気回路に一定温度以上で電気回路を閉じ、それ以下の温度で開く温度感知スイッチを直列に接続配置したことによると、機関雰囲気温度の高い状態において、始動混合気の濃化傾向を抑止し、機関雰囲気温度の低い状態において、始動混合気の薄化傾向を抑止できるもので、機関雰囲気温度に合わせた始動混合気を供給でき、もって機関の再始動性を更に向上できたものである。
【図面の簡単な説明】
【図１】本発明になる内燃機関用燃料供給装置の一実施例を示す要部縦断面図。
【図２】本発明になる内燃機関用燃料供給装置の他の実施例を示す要部縦断面図。
【図３】従来の内燃機関用燃料供給装置を示す要部縦断面図。
【符号の説明】
１、３４    ショットエア通路
２      空気制御弁
６      スタータスイッチ
７      温度感知スイッチ
１０、５０    吸気路
１１、５３    ミキサーベンチュリー部
１３、５４    メーンポート
２３、５２    絞り弁
３２    低速噴孔
Ａ      エアクリーナ
Ｃ      気化器
Ｅ      機関
Ｍ      ミキシングボデー
Ｖ      ベーパライザ
【図１】
0004011876.tif 000002
【図２】
0004011876.tif 000003
【図３】
0004011876.tif 000004